(57)【特許請求の範囲】
【請求項１】
椅子（Ｃ）の座面（３３）と対応する一定の帯幅と長さ（Ｌ）を備えたほぼ長方形な輪郭形状の電気毛布（Ａ）と、その電気毛布（Ａ）を収容する軟質の包袋（Ｂ）とから成り、
上記電気毛布（Ａ）の中綿となる表側不織布（１２ａ）又は／及び裏側不織布（１２ｂ）に、ヒーター線折り曲げ係止用となる多数の線状スリット（１８）を切り込み加工して、１本の可撓なヒーター線（Ｈ）の中途部をその線状スリット（１８）へ繰り返し出し入れする如く折り曲げ係止させることにより、上記ヒーター線（Ｈ）を全体的な蛇行形態に配線すると共に、
その配線したヒーター線（Ｈ）の挟み込み状態にある上記不織布（１２ａ）（１２ｂ）の表裏一対を、上記ヒーター線（Ｈ）同士の隣り合う相互間において線状に固着一体化する一方、
上記包袋（Ｂ）を表布（２７ａ）と裏布（２７ｂ）とからほぼ長方形の輪郭形状に縁取り縫製し、
その表布（２７ａ）又は裏布（２７ｂ）に電気毛布用出し入れ口（２８）と、その出し入れ口（２８）の開閉ファスナー（２９）並びに上記電気毛布（Ａ）側のコネクター受け（２２）を露出させる窓口（３０）とを各々設けて、
上記電気毛布用出し入れ口（２８）から上記電気毛布（Ａ）を出し入れ自在に収容し、その電気毛布（Ａ）におけるヒーター線（Ｈ）の接続端子（２３ａ）（２３ｂ）を備えたコネクター受け（２２）へ、上記露出窓口（３０）からコントロールユニット（Ｕ）側のコネクター（２４）を抜き差し自在に差し込み接続すると共に、
上記包袋（Ｂ）の四隅部と中間部に上中下として各々点在分布する一対づつのリベット（３１ａ）（３１ｂ）へ、抜き差し自在に通し込まれた適当な長さの結束紐（３２ａ）（３２ｂ）を使って、上記電気毛布（Ａ）が収容されている包袋（Ｂ）を上記椅子（Ｃ）の脚柱（３４）や背凭れ（３５）、その他の一部へ締結し、上記コントロールユニット（Ｕ）の差込みプラグ（２６）から電気毛布（Ａ）のヒーター線（Ｈ）へ通電することにより、１人掛け用椅子（Ｃ）へ着席した人の下半身又は／及び上半身を暖房することを特徴とする椅子への後付け式電気採暖具。
【発明の詳細な説明】
【技術分野】
【０００１】
本発明は１人掛け用椅子に着席した人の下半身又は／及び上半身を暖房できる椅子への後付け式電気採暖具に関する。
【背景技術】
【０００２】
１人掛け用椅子に着席した人の下方（足元）空間を暖房できるヒーターとしては、特開２００６−１４１７３９号と実用新案登録第３０２３４４５号が提案されており、これらが本発明に最も近似する公知技術であると考えられる。
【先行技術文献】
【特許文献】
【０００３】
【特許文献１】特開２００６−１４１７３９号公報
【特許文献２】実用新案登録第３０２３４４５号公報
【発明の概要】
【発明が解決しようとする課題】
【０００４】
ところが、特許文献１に記載の床暖房機能付き椅子では、面状発熱シート（１４）が内蔵されたパネル（４０）を吊り下げるためのスライド式レール（１０）や、そのパネル（４０）を出し入れするためのキャビネット（１６）、同じくパネル（４０）を巻き取り収納したり、折りたたみ収納したりするための収納ケース（３）などが特別に必要であり、特殊・高価な椅子となってしまう。
【０００５】
この点、特許文献２に記載のひざ掛けヒーターでは、マグネットクリップ（８）や両面接着テープを使って、図３、５、６のように椅子（１２）へ設置できることになっているが、その椅子（１２）へ着席した人の尻部を直接暖房することは不可能であり、やはり輻射熱により足元空間を暖めるに過ぎない。
【０００６】
何れにしても、特許文献１、２には椅子へ着席した人の尻部から背部に至る上半身を暖房できることが、全然記載されておらず、その椅子に後付けする汎用性や使用上の利便性に劣っている。
【課題を解決するための手段】
【０００７】
本発明はこのような課題の改良を目的としており、その目的を達成するために、請求項１では椅子の座面と対応する一定の帯幅と長さを備えたほぼ長方形な輪郭形状の電気毛布と、その電気毛布を収容する軟質の包袋とから成り、
【０００８】
上記電気毛布の中綿となる表側不織布又は／及び裏側不織布に、ヒーター線折り曲げ係止用となる多数の線状スリットを切り込み加工して、１本の可撓なヒーター線の中途部をその線状スリットへ繰り返し出し入れする如く折り曲げ係止させることにより、上記ヒーター線を全体的な蛇行形態に配線すると共に、
【０００９】
その配線したヒーター線の挟み込み状態にある上記不織布の表裏一対を、上記ヒーター線同士の隣り合う相互間において線状に固着一体化する一方、
【００１０】
上記包袋を表布と裏布とからほぼ長方形の輪郭形状に縁取り縫製し、その表布又は裏布に電気毛布用出し入れ口と、その出し入れ口の開閉ファスナー並びに上記電気毛布側のコネクター受けを露出させる窓口とを各々設けて、
【００１１】
上記電気毛布用出し入れ口から上記電気毛布を出し入れ自在に収容し、その電気毛布におけるヒーター線の接続端子を備えたコネクター受けへ、上記露出窓口からコントロールユニット側のコネクターを抜き差し自在に差し込み接続すると共に、
【００１２】
上記包袋の四隅部と中間部に上中下として各々点在分布する一対づつのリベットへ、抜き差し自在に通し込まれた適当な長さの結束紐を使って、上記電気毛布が収容されている包袋を上記椅子の脚柱や背凭れ、その他の一部へ締結し、上記コントロールユニットの差込みプラグから電気毛布のヒーター線へ通電することにより、１人掛け用椅子へ着席した人の下半身又は／及び上半身を暖房することを特徴とする。
【発明の効果】
【００１３】
請求項１の上記構成によれば、電気毛布の中綿となる表裏一対の不織布に、１本の可撓なヒーター線を全体の蛇行する配線形態として挟み込み一体化してあるため、ヒーター線からの発熱をその両不織布により効果的な保温状態に持続することができ、所謂コシと可撓性を有する不織布の介在により、皺や縮みを生じ難く、ましてヒーター線の断線を起すおそれはなく、耐用性に富む電気採暖具を得られる。
【００１４】
又、このような電気毛布が収容された包袋の結束紐を、１人掛け用椅子の脚柱や背凭れ、その他の一部へ締結すると共に、コントロールユニットの差込みプラグを電源コンセントへ差し込み使用して、電気毛布のヒーター線へ通電することにより、その椅子へ着席した人の下半身又は／及び上半身に伝熱させて、言わば直かに暖房することができ、各種椅子に対する後付け汎用性にも優れる。
【００１５】
特に、電気毛布の中綿となる表側不織布又は／及び裏側不織布に、ヒーター線折り曲げ係止用となる多数の線状スリットを切り込み加工して、１本の可撓なヒーター線の中途部をそのスリットへ繰り返し出し入れする如く折り曲げ係止させることにより、上記ヒーター線を全体的な蛇行形態に配線しているため、その配線を便利良く行えるのであり、しかも上記不織布の表裏一対をヒーター線同士の隣り合う相互間において線状に固着しているため、上記配線したヒーター線同士の位置ズレしたり、触れ合ったりする危険がなく、両不織布による安心・安全な挟み込み係止状態に保てる効果もある。
【００１６】
更に、包袋を軟質の表皮と裏皮とからほぼ長方形の輪郭形状に縁取り縫製しており、その表布又は裏布に電気毛布用出し入れ口とその出し入れ口の開閉ファスナー並びに電気毛布側のコネクター受けを露出させる窓口とを各々設けると共に、上記電気毛布用出し入れ口から電気毛布を出し入れ自在に収容し、その電気毛布側のコネクター受けへ上記露出窓口からコントロールユニット側のコネクターを抜き差し自在に差し込み接続するようになっているため、上記電気毛布の包袋を容易・安価に作成することができるほか、その交換や洗濯などを便利良く行える効果もある。
【図面の簡単な説明】
【００１７】
【図１】本発明に係る椅子への後付け式電気採暖具を示す斜面図である。
【図２】同じく電気採暖具の電気毛布を収容した状態の平面図である。
【図３】図２の３−３線に沿う部分拡大断面図である。
【図４】電気毛布を抽出して示す部分拡大斜面図である。
【図５】図４の５−５線に沿う部分拡大断面図である。
【図６】不織布によるヒーター線の配線挟み込み状態を示す平面図である。
【図７】図６の７−７線に沿う部分拡大断面図である。
【図８】ヒーター線を抽出して示す構造図である。
【図９】本発明の使用による上半身の暖房状態を示す側面図である。
【図１０】本発明の使用による下半身の暖房状態を示す側面図である。
【図１１】本発明の使用による上半身と下半身の暖房状態を示す側面図である。
【図１２】別な本発明の使用による上半身と下半身の暖房状態を示す側面図である。
【発明を実施するための形態】
【００１８】
以下、図示の実施形態に基いて本発明の具体的構成を詳述すると、その本発明に係る椅子への後付け式電気採暖具は図１〜３のようなほぼ長方形の軟質な包袋（Ｂ）と、その内部へ出し入れ自在に収容された電気毛布（Ａ）とから成り、その包袋（Ｂ）の後述する結束紐によって１人掛け用椅子（Ｃ）へ取り付け、電気毛布（Ａ）の後述する差込みプラグを室内の電源コンセントへ差し込み使用できるようになっている。
【００１９】
先ず、電気毛布（Ａ）はポリエステルやその他の合成繊維から成る表生地（１１ａ）並びに裏生地（１１ｂ）と、その表裏相互間に介在する中綿としての不織布（１２ａ）（１２ｂ）と、その不織布（１２ａ）（１２ｂ）の表裏何れか一方又は双方へ折り曲げ係止することにより、全体的な蛇行形態に配線されたヒーター線（Ｈ）とを備え、１人掛け用椅子（Ｃ）の座面と対応する一定帯幅（Ｗ）（例えば約４５０mm）と適当な一定長さ（Ｌ）（例えば約８５０〜１３５０mm）並びに一定厚み（Ｔ）（例えば約１０mm）のほぼ長方形に造形されている。
【００２０】
上記ヒーター線（Ｈ）は電気毛布用の１線式として、図８に抽出して示す如く、芯糸（１３）に発熱素線（１４）を螺旋状に巻回し、その外周に溶断層（絶縁体）（１５）を設け、その溶断層（１５）へ検知線（感熱線）（１６）を螺旋状に巻回し、その外周面に最外層（絶縁外皮）（１７）を設けた構成であり、標準外径が約２．１〜２．５mmのフレキシブルな紐状をなしている。
【００２１】
上記芯糸（１３）はポリエステル繊維やポリアミド繊維などから成り、優れた屈曲性を発揮するため、椅子（Ｃ）への後付け式電気採暖具として折り曲げ使用するも、そのヒーター線（Ｈ）の断線するおそれはない。
【００２２】
又、上記溶断層（絶縁体）（１５）は異常発熱時に溶ける材料のナイロンやポリアミド系樹脂、ＰＥＴ樹脂などから成り、異常発熱時にヒューズ機能を果す。上記発熱素線（１４）と検知線（１６）は銅平角線や銅合金平角線などであり、その検知線（１６）に使用している金属抵抗線の抵抗値変化を利用して、ヒーター線（Ｈ）の温度制御を行なうようになっている。尚、上記最外層（絶縁外皮）（１７）は耐熱性のポリ塩化ビニル樹脂などから成る。
【００２３】
上記電気毛布（Ａ）の中綿になる表裏一対の不織布（１２ａ）（１２ｂ）は、ポリエステル繊維を主体として好ましくは格子網状に構成されており、その表裏何れか一方（図例では裏側）の不織布（１２ｂ）には上記ヒーター線（Ｈ）の中途部を繰り返し折り曲げ係止して、全体的な蛇行形態に配線規制する多数の線状スリット（１８）が、プレス機械やカッターナイフなどによって図４〜６のように切り込み加工されている。
【００２４】
そして、その裏側不織布（１２ｂ）の線状スリット（１８）へ１本のヒーター線（Ｈ）が繰り返し出し入れする如く、折り曲げ係止されて、図１、２、４〜７のような全体の蛇行形態に配線されており、しかもそのヒーター線（Ｈ）には他方（図例では表側）の不織布（１２ａ）が被覆されて、その表裏一対の不織布（１２ａ）（１２ｂ）によるサンドイッチ状態にある。但し、ヒーター線（Ｈ）をサンドイッチ状態に挟み込める限り、そのヒーター線（Ｈ）の折り曲げ係止用線状スリット（１８）は、表裏双方の不織布（１２ａ）（１２ｂ）に切り込み加工しても良い。
【００２５】
（１９）はこのような配線状態にあるヒーター線（Ｈ）同士の位置ズレや触れ合いなどを防ぐ多数の平行な固着線であり、上記蛇行するヒーター線（Ｈ）同士の隣り合う相互間において、表裏一対の不織布（１２ａ）（１２ｂ）を図４〜７に示す如く、熱溶着法や高周波（超音波）ウエルダー法、ホットメルト接着法、縫い合わせなどによって固着一体化している。但し、製造工程としてはこのような固着線（１９）を列設した後に、その隣り合う相互間へヒーター線（Ｈ）を差し込み配線することが望ましい。
【００２６】
更に、上記電気毛布（Ａ）の表生地（１１ａ）並びに裏生地（１１ｂ）と、表裏一対の不織布（１２ａ）（１２ｂ）とはそのほぼ長方形の周縁部に沿って、一定幅だけ縁取る如く接着又は溶着されており、しかも縫い合わせ一体化されて、上記ヒーター線（Ｈ）を封じ込めた状態にある。（２０）はその接着部又は溶着部、（２１）は縫合部を各々示している。
【００２７】
上記電気毛布（Ａ）の中綿になる不織布（１２ａ）（１２ｂ）は、耐久性や可撓性、所謂コシを有するため、皺寄りや伸縮を生じない。又、不織布（１２ａ）（１２ｂ）のポリエステル繊維間に暖気を溜める保温性もあるため、電気毛布（Ａ）が捻れた不正変形時に、ヒーター線（Ｈ）同士が互いに触れ合って、異常に高温化するおそれも予防することができる。
【００２８】
（２２）は上記ヒーター線（Ｈ）の接続端子（発熱素線と検知線のピン端子）（２３ａ）（２３ｂ）を備えたコネクター受け（プラグ）であり、図２、６に示す如く、コントロールユニット（Ｕ）側のコネクター（２４）へ抜き差し自在に差し込み使用される。（２５）はそのコントロールユニット（Ｕ）のスライドレバー式又は回動ダイヤル式の操作摘まみであって、電源のオン・オフとヒーター線（Ｈ）の温度調整とを行なえるようになっている。（２６）は電源コンセント（ＡＣ１００Ｖ）への差込みプラグである。
【００２９】
次に、包袋（Ｂ）は軟質の表布（２７ａ）と裏布（２７ｂ）とから図１〜３のように、、上記電気毛布（Ａ）を収容できる大きさと輪郭形状に縁取り縫製されており、その表布（２７ａ）又は裏布（２７ｂ）の短辺とほぼ平行に切り欠かれた電気毛布用出し入れ口（２８）には、開閉ファスナー（２９）が取り付けられている。（３０）は上記電気毛布（Ａ）側のコネクター受け（２２）を露出させる窓口であり、その窓口（３０）を通じて外部からコントロールユニット（Ｕ）側のコネクター（２４）が、そのコネクター受け（２２）へ差し込み接続されることになる。
【００３０】
又、同じく包袋（Ｂ）の四隅部と中間部には上中下として点在分布する一対づつのリベット（ハトメ）（３１ａ）（３１ｂ）がかしめ付けられており、ここへ抜き差し自在に通し込まれた適当な長さの結束紐（３２ａ）（３２ｂ）を使って、上記電気毛布（Ａ）が収容されている包袋（Ｂ）を図９〜１２のように、椅子（Ｃ）の座面（３３）やその脚柱（３４）、背凭れ（３５）の支柱（３６）、肘掛け（３７）の支柱（３８）、その他の一部へ締結できるようになっている。
【００３１】
その場合、表裏一対の不織布（１２ａ）（１２ｂ）に上記ヒーター線（Ｈ）が挟み込まれた電気毛布（Ａ）と、その包袋（Ｂ）は可撓性を有し、自由に折りたたんだり、巻き曲げたりすることができる。
【００３２】
本発明の電気採暖具を１人掛けの椅子（Ｃ）へ後付け使用するに当っては、その包袋（Ｂ）に収容された状態の電気毛布（Ａ）を図９のようなほぼＬ字形に折り曲げて、その包袋（Ｂ）の上部に位置する結束紐（３２ａ）（３２ｂ）を椅子（Ｃ）の背凭れ（３５）へ、同じく中間部の結束紐（３２ａ）（３２ｂ）を背凭れ（３５）の支柱（３６）へ、更に下部の結束紐（３２ａ）（３２ｂ）を座面（３３）の脚柱（３４）へ各々締結し、上記電気毛布（Ａ）のヒーター線（Ｈ）と電気的に接続されたコントロールユニット（Ｕ）の差込みプラグ（２６）を、室内の電源コンセントへ差し込み使用して、通電すれば良い。そうすれば、その椅子（Ｃ）へ着席した人の上半身を、電気毛布（Ａ）の就中熱源となるヒーター線（Ｈ）により、効果的に暖房することができる。
【００３３】
又、上記電気毛布（Ａ）を図１０のようなほぼ倒立Ｌ字形に折り曲げて、やはり包袋（Ｂ）の上部位置にある結束紐（３２ａ）（３２ｂ）を椅子（Ｃ）における背凭れ（３５）の支柱（３６）へ、中間部と下部の結束紐（３２ａ）（３２ｂ）を何れも座面（３３）の脚柱（３４）へ各々締結することにより、その椅子（Ｃ）へ着席した人の下半身を上記と同様に暖房することができる。
【００３４】
更に、上記包袋（Ｂ）とこれに収容された電気毛布（Ａ）の長さ次第では、これを図１１、１２のような連続する階段形態に折り曲げて、その複数本の結束紐（３２ａ）（３２ｂ）を椅子（Ｃ）の一部へ安定良く締結することにより、その椅子（Ｃ）へ着席した人の上半身と下半身を全体的に暖房することも可能である。
【００３５】
そして、その何れにしても本発明の不使用時には滑らかなロール形態に巻き曲げて、小型コンパクトに保管することができ、又電気毛布（Ａ）の汚損した包袋（Ｂ）を繰り返し洗濯したり、清掃したりすることも可能である。
【００３６】
尚、上記椅子（Ｃ）としては回転式と非回転式との種別や、肘掛け（３７）の有無などを問わず、更に脚柱（３４）の本数も問わず、本発明の電気採暖具をあらゆる形態の椅子（Ｃ）へ汎用的に後付け使用することができ、著しく便利である。
【符号の説明】
【００３７】
（１１ａ）・表生地
（１１ｂ）・裏生地
（１２ａ）（１２ｂ）・不織布
（１３）・芯糸
（１４）・発熱素線
（１５）・溶断層
（１６）・検知線
（１７）・最外層
（１８）・線状スリット
（１９）・固着線
（２０）・接着部又は溶着部
（２１）・縫合部
（２２）・コネクター受け（プラグ）
（２３ａ）（２３ｂ）・接続端子
（２４）・コネクター
（２５）・操作摘まみ
（２６）・差込みプラグ
（２７ａ）・表布
（２７ｂ）・裏布
（２８）・出し入れ口
（２９）・開閉ファスナー
（３０）・窓口
（３１ａ）（３１ｂ）・リベット（ハトメ）
（３２ａ）（３２ｂ）・結束紐
（３３）・座面
（３４）・脚柱
（３５）・背凭れ
（３６）・支柱
（３７）・肘掛け
（３８）・支柱
（Ａ）・電気毛布
（Ｂ）・包袋
（Ｃ）・椅子
（Ｈ）・ヒーター線
（Ｕ）・コントロールユニット
【図１】
0005221581.tif 000002
【図２】
0005221581.tif 000003
【図３】
0005221581.tif 000004
【図４】
0005221581.tif 000005
【図５】
0005221581.tif 000006
【図６】
0005221581.tif 000007
【図７】
0005221581.tif 000008
【図８】
0005221581.tif 000009
【図９】
0005221581.tif 000010
【図１０】
0005221581.tif 000011
【図１１】
0005221581.tif 000012
【図１２】
0005221581.tif 000013